(57)【特許請求の範囲】
【請求項１】
ケーシング内の支柱外周にディスク型フィルターを多段に積層して収納し、その頂上に層流板を配し、支柱の外部から該フィルターと該層流板を合わせてキャップで固定する樹脂濾過装置において、
前記支柱に設けたネジ部と前記フィルターを通過した樹脂が集合する部分とが連通されてなり、
前記フィルターを通過した樹脂の一部が前記ネジ部を通過して前記支柱内へ還流することを特徴とする樹脂の濾過装置。
【請求項２】
樹脂を濾過するに際して、請求項１記載の濾過装置を用いることを特徴とする樹脂濾過方法。
【発明の詳細な説明】
【０００１】
【発明の属する技術分野】
本発明は、濾過装置、例えばポリマーなどの高粘度樹脂中の不純物やゲル状物を除去するために効果的に用いられる濾過装置、特にケーシング内にリーフディスク型フィルターを複数枚多段に積層して収納した構造で、上述のポリマーなどの高粘度樹脂中の不純物やゲル状物を除去するために効果的に用いられる濾過装置の構造に関するものである。
【０００２】
【従来の技術】
従来よりポリマーなどの高粘度樹脂を濾過する装置には、図４に示すようなケーシング内１０に図５に示すようなリーフディスク型フィルターを多段に積層して収納し、濾過面積を大きくしたものが一般に使われている。
【０００３】
一枚のリーフディスクフィルターは、濾材１を金属製のハブ部９で固定した構造を持ち、樹脂は該リーフディスクフィルターの外部から濾材１を通過して濾過された後、ハブ部９に設けられた通路を通って該ハブの中央部から流出する構造を持つ。ここで、濾材を通過する前の樹脂を一次側の樹脂、濾材を通過した後の樹脂を二次側の樹脂として区別して図示すると、図５において矢印で示した如くである。
【０００４】
このような濾過装置では、複数枚多段に積層したディスク型フィルターを支柱の外周に収めた後、その頂上に層流板２が配設されることにより、入口１１から流入した樹脂は、いったん、ケーシング１０の内周側へ向いて広がって流れる結果、入口１１から第１番目のディスク型フィルターにその外周部側から樹脂が流入する構造となっている。このようにその外周部側から樹脂が流入する構造となっている点は、第２番目以降のディスク型フィルターにおいても同様のものとなっている。
【０００５】
また、この層流板２と複数枚多段積層したフィルターを支柱に固定するために支柱の外部からキャップ４で固定している。
【０００６】
【発明が解決しようとする課題】
このような構造の濾過装置では、入口から第１番目以降のディスクフィルターのハブの内壁から出てくる濾過された樹脂は、大半が支柱に空けられた通路を通過して６で集合し、出口１２へ押し出されるが、一部の樹脂が、支柱と層流板との隙間７および支柱ネジ部５を通ってキャップ４と支柱３との隙間２１に流れて滞留するという現象が生ずる場合があることが判明した。
【０００７】
このような場合、隙間７に長時間滞留した樹脂が劣化して逆流しフィルターの２次側で合流した樹脂へ混入するという問題があった。
【０００８】
フィルターの２次側で合流した樹脂は濾材を通過して濾過された樹脂であるため、この樹脂に劣化した樹脂が混入するとフィルター本来の濾過機能が阻害されることとなり樹脂成形上で重大な品質劣化をもたらすことが明らかになった。
【０００９】
本発明の課題は、上記のような問題点に対し、長時間滞留して劣化した樹脂が逆流することを回避し樹脂の品質劣化を防止することであり、この問題点に対し鋭意努力し改善を試みた結果、本発明に至った。
【００１０】
【課題を解決するための手段】
上記課題を解決するために、本発明に係る樹脂濾過装置は、以下の構成を有するものである。
【００１１】
すなわち、ケーシング内の支柱外周にディスク型フィルターを多段に積層して収納し、その頂上に層流板を配し、支柱の外部から該フィルターと該層流板を合わせてキャップで固定する樹脂濾過装置において、前記支柱に設けたネジ部と前記フィルターを通過した樹脂が集合する部分とが連通されてなり、前記フィルターを通過した樹脂の一部が前記ネジ部を通過して前記支柱内へ還流することを特徴とするものである。
【００１２】
また、本発明に係る濾過方法は、樹脂を濾過するに際して、このような濾過装置を用いたことを特徴とする方法からなる。
【００１３】
このような濾過装置は、たとえば、製膜工程での樹脂押出機と成形ダイとの間に、あるいは２台の樹脂押出機の間などに配設して使用することができるものである。
【００１４】
【発明の実施の形態】
以下に、本発明に係る濾過装置について、望ましい実施の形態などについて図面を参照しながら説明する。
【００１５】
本発明に係る濾過装置は、ケーシング内の支柱外周にディスク型フィルターを多段に積層して収納し、その頂上に掃流板を配し、支柱の外部からフィルターと層流板を合わせてキャップで固定する樹脂濾過装置である。そして、支柱に設けたネジ部とフィルターを通過した樹脂が集合する部分とが連通されている。
【００１６】
図１および図２は、本発明の一実施様態に係る濾過装置および濾過方法を示しており、図１は図２の樹脂流入付近の一部を拡大して示した概略構成図を示している。図１において、１はリーフディスクフィルターを、２は層流板を、３は支柱を、そして４は該フィルター１と層流板２を合わせて固定するキャップを示している。キャップ４には雄ネジが、また、支柱頭部には雌ネジが設けられており、支柱の外部からキャップを締めることによってフィルターと層流板を合わせて固定する様態を示している。
【００１７】
さらに、支柱に設けたネジ部５とフィルターを通過した樹脂が集合する部分６とが連通されているものである。
【００１８】
図２の濾過装置の入口１１から流入した樹脂は層流板２に沿ってケーシング１０の内壁側へ流れの向きを変えディスクフィルター１に到達する。ディスクフィルター１は、図５に示す基本構成を持ち、濾材部１の外側から濾材を通過した後、ハブ部９に空けられた通路を通った樹脂は支柱内６で集合して濾過装置の出口１２へ向かう。
【００１９】
このとき、本発明に係る濾過装置においては、特に支柱に設けたネジ部５とフィルターを通過した樹脂が集合する部分６とが連通されているため、フィルター１のハブ部９を通過した樹脂の一部は支柱頭部と層流板２との隙間７および８、さらに支柱頭部のネジ部５を通過して支柱内６へ環流することができるのである。この構造により、フィルターのハブ部から出た２次側の樹脂は支柱内部で滞ることなく濾過装置の出口１２へ流れる結果、樹脂の異常な滞留による劣化を防止することができる。
【００２０】
また、支柱の頭部に設けたネジ部５と、フィルターを通過した樹脂が集合する部分６とが連通されているため、その解体洗浄時に洗浄液が滞ることなく支柱の内部に浸透できるため洗浄効果が向上するものである。
【００２１】
【発明の効果】
以上説明したように、本発明の濾過装置およびそれを用いた濾過方法によれば、フィルターを一度通過した二次側での樹脂は異常な滞留部分を持たずに濾過装置の出口側へスムーズな流れを形成できるので、劣化樹脂混入の少ない高品質の樹脂を成形製造することができる。
【００２２】
また、本発明によれば、解体洗浄性が向上するため樹脂の成形初期においても異物の少ない樹脂を成形することが可能となる。
【図面の簡単な説明】
【図１】本発明の一実施様態に係る濾過装置の上部拡大図である。
【図２】本発明の一実施様態に係る濾過装置の全体図である。
【図３】本発明の課題対象となる濾過装置の上部拡大図である。
【図４】本発明の課題対象となる濾過装置の全体図である。
【図５】本発明の一実施様態に係るディスクフィルターの断面図であり、図中の矢印は樹脂の流れ方向の概略を示す。
【符号の説明】
１：ディスクフィルター濾材部
２：層流板
３：支柱
４：キャップ
５：支柱頭部ネジ部
６：濾材通過樹脂集合部
７：支柱と層流板の隙間
９：ディスクフィルターのハブ部
１０：ケーシング
１１：濾過装置入口
１２：濾過装置出口
【図１】
0004686878.tif 000002
【図２】
0004686878.tif 000003
【図３】
0004686878.tif 000004
【図４】
0004686878.tif 000005
【図５】
0004686878.tif 000006